(57)【特許請求の範囲】
【請求項１】
上下方向および幅方向を有する、シート状のマスク本体部と、当該マスク本体部の幅方向両側に取り付けられ、使用者が装着するための装着部材とを備えるマスクであって、
前記マスク本体部の幅方向中心に位置し、上下方向に延びる仮想線を中心線とし、当該中心線に対して当該マスク本体部の幅方向一方側の部分と幅方向他方側の部分とをそれぞれ一方側部分と他方側部分とするとき、
前記マスク本体部を前記中心線で曲げた状態を当該マスク本体部の下方向から視たときに、少なくとも当該マスク本体部の下方において、前記一方側部分と前記他方側部分とで空間を形成し、
前記マスク本体部は、マスク中央部と、当該マスク中央部の幅方向両側の上方に位置し、前記装着部材を取り付けるための一対の取付部とを有し、
前記マスク本体部は、前記一方側部分の上方の一部と、当該一部と中心線に対して対称に位置する前記他方側部分の上端部の一部と、が相互に接合する接合部分を有することを特徴とする、マスク。
【請求項２】
上下方向および幅方向を有する、シート状のマスク本体部と、当該マスク本体部の幅方向両側に取り付けられ、使用者が装着するための装着部材とを備えるマスクであって、
前記マスク本体部の幅方向中心に位置し、上下方向に延びる仮想線を中心線とし、当該中心線に対して当該マスク本体部の幅方向一方側の部分と幅方向他方側の部分とをそれぞれ一方側部分と他方側部分とするとき、
前記マスク本体部を前記中心線で曲げた状態を当該マスク本体部の下方向から視たときに、少なくとも当該マスク本体部の下方において、前記一方側部分と前記他方側部分とで空間を形成し、
前記マスク本体部は、マスク中央部と、当該マスク中央部の幅方向両側の上方に位置し、前記装着部材を取り付けるための一対の取付部とを有し、
前記マスク本体部は、当該マスク本体部の上端部に、当該マスク本体部のシートの上部が前記マスクの内表面側に曲げられた曲げ部を有することを特徴とする、マスク。
【請求項３】
前記マスク本体部は、前記一方側部分の上方の一部と、当該一部と中心線に対して対称に位置する前記他方側部分の上端部の一部と、が相互に接合する接合部分を有する、請求項２に記載のマスク。
【請求項４】
前記接合部分の幅方向外側端は、前記中心線の上端から、前記一方側部分および前記他方側部分の幅方向一方側および他方側に１０〜４０ｍｍに位置する、請求項１または３に記載のマスク。
【請求項５】
前記マスク本体部の半部の正面視で、当該中心線と、前記中心線の上端と前記接合部分の幅方向外側端との線分とがなす角度は、４５〜１２０°である、請求項１、３および４のいずれかに記載のマスク。
【請求項６】
前記マスク本体部は、当該マスク本体部の上端部に、当該マスク本体部のシートの上部が前記マスクの内表面側に曲げられた曲げ部を有する、請求項１〜５のいずれかに記載のマスク。
【請求項７】
前記マスク本体部は、マスク中央部と、マスク中央部の幅方向両側に位置し装着部材を取り付けるための１対の取付部とを有し、
前記曲げ部は、前記取付部から前記マスク中央部に存在する、請求項６に記載のマスク。
【請求項８】
前記曲げ部は、当該曲げ部のうちの下端部分の一部が、前記マスク本体部の前記シートの当該曲げ部以外の部分である主部の一部に接合され、
前記曲げ部において、前記曲げ部と前記主部の間には空間が形成されている、請求項６または７に記載のマスク。
【請求項９】
前記マスク本体部を前記中心線で曲げた状態を当該マスク本体部の下方向から視たときに、少なくとも当該マスク本体部の下端において、当該マスク本体部の前記一方側部分と前記他方側部分との距離が最も大きくなる位置での当該距離が５ｍｍ以上である、請求項１〜８のいずれかに記載のマスク。
【請求項１０】
前記マスク本体部のうち、少なくとも前記中心線から幅方向両側に５０ｍｍの範囲内の部分は１枚のシートで形成される、請求項１〜９のいずれかに記載のマスク。
【請求項１１】
前記マスク本体部は、前記装着部材が取り付けられ、幅方向両側に位置する取付部を有し、
前記取付部は、前記マスクを使用者が装着したときに当該取付部を使用者の表面の外側に反発させることが可能な反発発生手段を有する、請求項１〜１０のいずれかに記載のマスク。
【請求項１２】
前記取付部は、幅方向に沿って測った長さが６０ｍｍ以上である、請求項１１に記載のマスク。
【請求項１３】
前記マスク本体部は、前記マスクを使用者が装着したときに当該使用者の口に対応する位置に貫通孔を有し、
前記マスクは、前記貫通孔を開閉可能なように前記マスク本体部の外側の表面上に接合されたシート状のカバー部材を備える、請求項１〜１２のいずれかに記載のマスク。
【請求項１４】
前記マスク本体部は、可撓性を有する樹脂シートである、請求項１〜１３のいずれかに記載のマスク。
【発明の詳細な説明】
【技術分野】
【０００１】
本発明は、マスクに関する。
【背景技術】
【０００２】
従来より、日常生活におけるウイルスや細菌などの感染対策として、例えば、口や鼻を覆う織布や不織布などのマスクが汎用されているが、昨今、例えばスポーツなどを行う際など様々な状況下においても、マスクを着用して感染対策を行うことが求められている。
【発明の概要】
【発明が解決しようとする課題】
【０００３】
ところで、通常使用する布製のマスクは、使用者の口や鼻の周囲をほぼ隙間なく覆うことで、使用者の感染や使用者の周囲の者への感染を予防することができる。しかし、例えば、スポーツを行うことで発汗したり、または、プールのような水を浴びたりするような、水分が顔面に多く付着する恐れがある環境下では、布製のマスクでは、濡れてしまうことで空気の透過が不十分になると同時に、マスクが全体的に使用者の顔面に貼りつき、使用者がマスクを継続的に装着することが困難になり得る。そこで、マスクを、樹脂などのシートを用いて形成するとともに、使用者が装着したときに、使用者の顔面とマスクの間に隙間が形成されるようにカップ状に形成することも考えられる。このようなマスクを、水分が顔面に多く付着する環境下で用いた場合には、布製のマスクとは異なり濡れても形状を維持しマスクが全体的に顔面に貼りつくことは避けることができるものの、マスクの周囲の部分が使用者の顔面へ依然として貼りつくことがあり、これがマスクと使用者の顔面との隙間を狭めることで、不快感や呼吸のし難さが伴うことがあった。
【０００４】
そこで、本発明は、マスクが濡れる環境下で用いた場合であっても、使用時の不快感を抑制するとともに呼吸をしやすくすることが可能なマスクを提供することを目的とする。
【課題を解決するための手段】
【０００５】
本発明のマスクは、上下方向および幅方向を有する、シート状のマスク本体部と、当該マスク本体部の幅方向両側に取り付けられ、使用者が装着するための装着部材とを備えるマスクであって、
前記マスク本体部の幅方向中心に位置し、上下方向に延びる仮想線を中心線とし、当該中心線に対して当該マスク本体部の幅方向一方側の部分と幅方向他方側の部分とをそれぞれ一方側部分と他方側部分とするとき、
前記マスク本体部を前記中心線で曲げた状態を当該マスク本体部の下方向から視たときに、少なくとも当該マスク本体部の下方において、前記一方側部分と前記他方側部分とで空間を形成することを特徴とする。
【０００６】
また、本発明のマスクでは、前記マスク本体部を前記中心線で曲げた状態を当該マスク本体部の下方向から視たときに、少なくとも当該マスク本体部の下端において、当該マスク本体部の前記一方側部分と前記他方側部分との距離が最も大きくなる位置での当該距離が５ｍｍ以上であることが好ましい。
【０００７】
さらに、本発明のマスクでは、前記マスク本体部のうち、少なくとも前記中心線から幅方向両側に５０ｍｍの範囲内の部分は１枚のシートで形成されることが好ましい。
【０００８】
ここで、本発明のマスクは、前記マスク本体部は、前記一方側部分の上方の一部と、当該一部と中心線に対して対称に位置する前記他方側部分の上端部の一部と、が相互に接合する接合部分を有することが好ましい。
【０００９】
また、本発明のマスクでは、前記接合部分の幅方向外側端は、前記中心線の上端から、前記一方側部分および前記他方側部分の幅方向一方側および他方側に１０〜４０ｍｍに位置することが好ましい。
【００１０】
さらに、本発明のマスクは、前記マスク本体部の半部の正面視で、当該中心線と、前記中心線の上端と前記接合部分の幅方向外側端との線分とがなす角度は、４５〜１２０°であることが好ましい。
【００１１】
そして、本発明のマスクは、前記マスク本体部は、前記装着部材が取り付けられ、幅方向両側に位置する取付部を有し、
前記取付部は、前記マスクを使用者が装着したときに当該取付部を使用者の表面の外側に反発させることが可能な反発発生手段を有することが好ましい。
【００１２】
また、本発明のマスクは、前記取付部は、幅方向に沿って測った長さが６０ｍｍ以上であることが好ましい。
【００１３】
さらに、本発明のマスクは、前記マスク本体部は、当該マスク本体部の上端部に、当該マスク本体部のシートの上部が前記マスクの内表面側に曲げられた曲げ部を有することが好ましい。
【００１４】
また、本発明のマスクは、前記マスク本体部は、マスク中央部と、マスク中央部の幅方向両側に位置し装着部材を取り付けるための１対の取付部とを有し、前記曲げ部は、前記取付部から前記マスク中央部に存在することが好ましい。
【００１５】
さらに、本発明のマスクは、前記曲げ部は、当該曲げ部のうちの下端部分の一部が、前記マスク本体部の前記シートの当該曲げ部以外の部分である主部の一部に接合され、
前記曲げ部において、前記曲げ部と前記主部の間には空間が形成されていることが好ましい。
【００１６】
ところで、本発明のマスクは、前記マスク本体部は、前記マスクを使用者が装着したときに当該使用者の口に対応する位置に貫通孔を有し、
前記マスクは、前記貫通孔を開閉可能なように前記マスク本体部の外側の表面上に接合されたシート状のカバー部材を備えることが好ましい。
【００１７】
なお、本発明のマスクは、前記マスク本体部は、可撓性を有する樹脂シートであることが好ましい。
【発明の効果】
【００１８】
本発明によれば、マスクが濡れる環境下で用いた場合であっても、使用時の不快感を抑制するとともに呼吸をしやすくすることが可能なマスクを提供することができる。
【図面の簡単な説明】
【００１９】
【図１】本発明の一実施形態に係るマスクのマスク本体部を示す斜視図である。
【図２】図１のマスクのマスク本体部の半部（幅方向他方側の半部）を示す正面図である。
【図３】図１のマスクを装着した状態で示す図である（マスク本体部の貫通孔およびカバー部材を省略）。
【図４】図１のマスクのマスク本体部の第１の変形例を示す正面図である。
【図５】図１のマスクのマスク本体部の第２の変形例を示す斜視図である。
【図６】図５のマスクの曲げ部を形成する過程を示す図である。
【図７】図５のマスクのマスク本体部の半部（幅方向他方側の半部）を示す正面図である。
【発明を実施するための形態】
【００２０】
以下、本発明の実施形態（以下、「本実施形態」という。）を詳細に説明するが、本発明は本実施形態に限定されるものではない。
本実施形態のマスクは、図１に示すように、上下方向および幅方向を有する、シート状のマスク本体部２と、当該マスク本体部２の幅方向両側に取り付けられ、使用者が装着するための装着部材３（図１に図示せず）とを備えるマスク１である。
本実施形態のマスク１のマスク本体部２はシート状であることから、水が多くマスク１に付着しても、使用者がマスク１を口や鼻を覆うように顔に装着した状態（以下、マスク装着状態とも称す）で、マスク１の形状を維持するとともに、布製のマスクのようにマスクが濡れても全体的に使用者の顔面に貼りつくようなことを避けることができる。
したがって、本実施形態のマスク１は、特に限定されないが、例えば耐水用、すなわち水分が多く顔面に付着する恐れがある環境下で好適に用いることができ、具体的には、スポーツを行うことで多く発汗する環境、プールのような水を浴びたりする環境（プール施設内など）において、用いることができる。特に、プールでの使用では、例えば水中歩行の際、プールサイドでの水泳者の指導や監視の際に用いることができる。そして、本実施形態のマスク１を用いることで、このような環境下での、使用者の感染や使用者の周囲の者への感染を好適に予防することができる。
【００２１】
ここで、本実施形態において、マスク本体部２とは、使用者の感染や使用者の周囲の者への感染を予防するために主要な部分であり、マスク装着状態で、使用者の顔面の上下方向中間より下部に、具体的には一方の耳付近から他方の耳付近までに対応して位置する部分を有する。
マスク本体部２は、上下方向（図１では上下方向）および幅方向（図１では左右方向）を有する。マスク本体部２の上下方向とは、マスク装着状態で、使用者の顔面の上下方向に対応する方向であり、マスク本体部２の上方向が使用者の上方向となり、マスク本体部２の下方向が使用者の下方向となる。また、マスク本体部２の幅方向とは、マスク装着状態で、使用者の顔面の左右方向に対応する方向であり、マスク本体部２の幅方向外側とは、マスク装着状態で、マスク本体部２の中心線Ｌ１に対して使用者の耳が位置する方向であり、マスク本体部２の幅方向内側とは、マスク装着状態で、マスク本体部２の幅方向外側とは逆の方向であり中心線Ｌ１側の方向である。また、マスク本体部２の幅方向一方が使用者の右方向となり、マスク本体部２の幅方向他方が使用者の左方向となる。
また、マスク本体部２は、外側および内側の表面を有しており、外側の表面とは、マスク装着状態で、１対の表面のうち使用者の周囲側に向く表面を指し、内側の表面とは、マスク装着状態で、１対の表面のうち使用者の顔面側に向く表面を指す。
【００２２】
マスク本体部２は、図１の例では、主に口、鼻、頬に対応して位置するマスク中央部２１と、マスク中央部２１の幅方向両側に位置し装着部材３を取り付けるための１対の取付部２２とを有する。
図示の例のマスク中央部２１は、図３に示すように、マスク装着状態において、幅方向では、使用者の顔面の一方の頬付近から他方の頬付近まで延在し、また、上下方向では、鼻の中間付近から顎先付近まで延在している。より具体的には、マスク中央部２１の上端の輪郭は、図２のマスク本体部２の半部（幅方向他方側の半部）を示す図のように、中心線Ｌ１（後述で説明）から幅方向外側に向けて下方に緩やかに傾く形状となっている。これにより、マスク装着状態で、マスク中央部２１の上端が幅方向外側に向けて、使用者の鼻の上下方向中間付近から、目の下瞼を避けながら頬骨の頂点を通るような形状となっている。
一方、マスク中央部２１の下端の輪郭は、図２のマスク本体部２の半部を示す図のように、中心線Ｌ１から幅方向外側に向けて上方に緩やかに傾き、その後、略上方に沿う形状となっている。これにより、マスク装着状態で、マスク中央部２１の下端が、使用者の下顎の形状に沿うような形状となっている。
【００２３】
また、本実施形態のマスク１において、図１に示すように、マスク本体部２の幅方向中心に位置し、上下方向に延びる仮想線を中心線Ｌ１とし、また、中心線Ｌ１に対してマスク本体部２の幅方向一方側の部分と幅方向他方側の部分とをそれぞれ一方側部分２３と他方側部分２４とする。
この場合において、マスク本体部２を中心線Ｌ１で曲げた状態をマスク本体部２の下方向から視て、少なくともマスク本体部２の下方において、一方側部分２３と他方側部分２４とで空間を形成する。換言すれば、マスク本体部２を中心線Ｌ１で曲げた状態としたとき、少なくともマスク本体部２の下方において、マスク本体部２の一方側部分２３と他方側部分２４とが中心線Ｌ１を挟んで相互に反発し開くようになっている。したがって、図３に示すようなマスク装着状態においても、マスク本体部２の一方側部分２３と他方側部分２４とが、少なくともそれらの下方の部分で、中心線Ｌ１を挟んで相互に広がるような形状にすることができる。それにより、マスク１の少なくとも下方の部分が使用者（特に使用者の口、顎先付近）の顔面から離れるようになり、マスク１と使用者の顔面との間で空間を確保することができる。
【００２４】
したがって、本実施形態のマスク１によれば、マスク本体部２がシート状であるので、水分で濡れてしまってもその立体形状、具体的には、マスク本体部２の一方側部分２３と他方側部分２４とが、少なくともそれらの下方の部分で、中心線Ｌ１を挟んで相互に広がるような形状、を維持することができる。そして、本実施形態のマスク１は、かかる形状を有し、使用者（特に使用者の口、顎先付近）の顔面から離れるような形状となるので、マスク１が水に濡れた状態であっても、マスク１の周囲の部分が使用者の顔面に貼りつくということを十分に低減し、マスク１と使用者の顔面との隙間（特に使用者の口、顎先付近）を確保することができる。したがって、本実施形態のマスク１によれば、マスク１が濡れる環境下で用いた場合であっても、使用時の不快感を抑制するとともに呼吸をしやすくすることができる。
【００２５】
なお、本明細書において、上記の「マスク本体部２を中心線Ｌ１で曲げた状態」とは、マスク本体部２において、中心線Ｌ１を中心に一方側部分２３と他方側部分２４を折り曲げた後、中心線Ｌ１から幅方向両側へ５０ｍｍ離間した１対の位置（上下方向に延びる仮想線上の位置）のそれぞれを、中心線Ｌ１と一方の当該位置までの一方側部分２３と、中心線Ｌ１と他方側の当該位置までの他方側部分２４とで形成される角度が６０°程度になるように開き、次いで、中心線Ｌ１を中心に、当該１対の位置よりも幅方向外側の部分を相互に重ね合わせるようにマスク本体部２を曲げた状態（曲げる際に一方側部分２３と他方側部分２４との全体を接触させるように押しつぶさない）を意味する。
また、本明細書において、中心線Ｌ１は、マスク本体部２の幅方向中心に位置し、上下方向に延びる仮想線であるが、より具体的には、マスク本体部２の幅方向中心であって厚さ方向中心に位置し、上下方向に延びる仮想線である。また、中心線Ｌ１は、例えばマスク本体部２の形状が立体的である場合などには、直線ではなく曲線となることもある。
【００２６】
そして、本実施形態においては、マスク本体部２を中心線Ｌ１で曲げた状態をマスク本体部２の下方向から視たときに、少なくとも当該マスク本体部２の下端において、マスク本体部２の一方側部分２３と他方側部分２４との距離が最も大きくなる位置での当該距離が５ｍｍ以上であることが好ましく、より好ましくは１０ｍｍ以上であり、さらに好ましくは１５ｍｍ以上である。当該距離が５ｍｍ以上であることにより、マスク装着状態において、マスク１の少なくとも下方の部分が使用者（特に使用者の口、顎先付近）の顔面から離れるようになり、マスク１と使用者との間で空間をより確保することができる。
一方、マスク１と使用者との間で空間を確保する観点からは当該距離の上限値は特に限定されないが、マスク１を装着しやすくする観点から、当該距離は、３０ｍｍ以下であることが好ましい。
【００２７】
また、本実施形態において、マスク本体部２を中心線Ｌ１で曲げた状態をマスク本体部２の下方向から視て、少なくともマスク本体部２の下方において、一方側部分２３と他方側部分２４とで空間を形成する方法としては、特に限定されないが、マスク本体部２のうち、少なくとも中心線Ｌ１から幅方向両側に５０ｍｍの範囲内の部分を１枚のシートで形成する方法や、或いは、マスク本体部２の下方に、例えばマスク本体部２の内側への湾曲に対して反発力を有するサポート部材を、中心線Ｌ１をまたがって幅方向に延在するように設ける方法など挙げることができ、それらのいずれか一方、または両方を用いることができる。
具体的には、前者の方法では、中心線Ｌ１を中心に所定の範囲の部分が１枚のシートで形成されるので、シートの曲げに対する反発力を利用して、一方側部分２３と他方側部分２４とで空間を形成することができる（図示の例では、マスク本体部２が１枚のシートで形成されている）。また、後者の方法は、例えば、マスク本体部２の一方側部分２３と他方側部分２４に対応する２枚のシートを重ね合わせて、その状態で２枚のシートをそれらの縁で相互に接合した場合には、マスク本体部２のうち、少なくとも中心線Ｌ１から幅方向両側に５０ｍｍの範囲内の部分が２枚のシートで形成されることとなる。そして、この場合、マスク本体部２を中心線Ｌ１で曲げた状態とすると一方側部分２３と他方側部分２４とが接触して重ね合わされた状態となり一方側部分２３と他方側部分２４とで空間が形成されない。しかし、マスク本体部２の下方に、例えば湾曲に対して反発力を有する部材を、中心線Ｌ１をまたがって幅方向に延在するように設けた場合には、サポート部材の反発力により、少なくともマスク本体部２の下方において、一方側部分２３と他方側部分２４とで空間を形成することができる。
【００２８】
ここで、本実施形態のマスク１のマスク本体部２は、上述のようにシート状であるが、具体的には、マスク本体部２は、可撓性を有するシートで形成される。マスク本体部２の材料としては、樹脂、例えば軟質ポリ塩化ビニルやポリウレタン樹脂などや、ゴム、例えば天然ゴム、各種の合成ゴム（例えばシリコンゴム）などを用いることができる。また、マスク本体部２はこれらの材料を発泡して製造した材料より形成してもよく、例えば、クロロプレンゴムなどを発泡して得た材料であるウェットスーツなどに用いられる生地を用いることもできる。また、マスク本体部２の厚さとしては、用いる材料によって異なるが、例えば０．５〜２．０ｍｍであることが好ましく、より好ましくは０．８〜１．５ｍｍであり、さらに好ましくは０．８〜１．２ｍｍである。
また、マスク本体部２を透明材料で形成した場合には、使用者の周囲の者が使用者の表情や口の動きなどを把握しやすくなり、また、着色された材料や着色された材料と透明材料の組合せの材料で形成した場合には、意匠性を向上させることができる。
【００２９】
また、マスク本体部２の材料としては、下記の条件で試験片について折り曲げ評価した場合に、折り曲げるための押圧を解放し３秒後に、折り目を中心に９０°以上に復元する材料であることが好ましく、より好ましくは１３５°以上、さらに好ましくは１５０°以上である。
上記の折り曲げ評価としては、縦５０ｍｍ×横５０ｍｍの試験片を準備して当該試験片を１０秒間水に浸漬し、次いで、浸漬後の試験片を横方向中間（２５ｍｍの位置）で折り曲げた後にその状態を維持して水平面に置き、その後、折り曲げるための押圧を解放し３秒後の状態（折り目を中心とする角度）を折り目の方向と平行な方向から観察する。
【００３０】
また、本実施形態のマスク本体部２は、図１に示すように、一方側部分２３の上端部の一部と、当該一部と中心線Ｌ１に対して対称に位置する他方側部分２４の上端部の一部と、が相互に接合する接合部分２５を有することができる。図１に示す例では、マスク本体部２は、マスク本体部２の上方であって中心線Ｌ１付近に、接合部分２５を２か所有している。
このような接合部分２５を有することにより、マスク装着時に、当該接合部分２５およびその周辺が鼻あてとして使用者の鼻にかぶさりマスク１が支持されるので、装着しやすくすることができる。
【００３１】
特に、上記の接合部分２５を有するとともに、マスク本体部２のうち、少なくとも中心線Ｌ１から幅方向両側に５０ｍｍの範囲内の部分を１枚のシートで形成した場合には、マスク装着状態で、マスク本体部２の上端と使用者の顔面との間の隙間を減らすことができ、使用者の呼気がマスク１と顔面（頬付近）との間の隙間を通って使用者の目に吹きかかることを抑制することができる。
具体的には、図１に示すように、接合部分２５はマスク本体部２の一方側部分２３と他方側部分２４とを接合していることから、マスク装着状態で視て、接合部分２５に対して幅方向外側に隣接する一方側部分２３と他方側部分２４（一方側部分２３と他方側部分２４の上端部）は、使用者の鼻の高さ方向（使用者の前後方向）に沿う方向に延在しやすい。これに対して、接合部分２５よりも下方の一方側部分２３と他方側部分２４（一方側部分２３と他方側部分２４の上端部より下方の部分）は、上述のように中心線Ｌ１を挟んで１枚のシートで形成されているので、マスク装着状態で視て、顔面の幅方向に沿う方向に延在しやすい。つまり、一方側部分２３と他方側部分２４の上端部は、鼻の形状に沿いやすくなり、一方、一方側部分２３と他方側部分２４の上端部より下方の部分は、使用者の頬付近（特に頬骨付近）の形状に沿いやすくなる。したがって、上記の接合部分２５を有するとともに、マスク本体部２のうち、少なくとも中心線Ｌ１から幅方向両側に５０ｍｍの範囲内の部分を１枚のシートで形成した場合には、マスク装着状態で、使用者の呼気がマスク１と顔面（頬付近）との間の隙間を通って使用者の目に吹きかかることを抑制することができる。
なお、接合部分２５よりも下方の一方側部分２３と他方側部分２４が、中心線Ｌ１を挟んで１枚のシートで形成されていない場合には、接合部分２５よりも下方の一方側部分２３と他方側部分２４も使用者の鼻の高さ方向（使用者の前後方向）に沿う方向に延在しやすくなる。その結果として、マスク装着状態で、マスク本体が、使用者の鼻への貼りつきが大きくなり、不快感を生じやすくなる傾向がある。また、マスク本体部２の上端で、マスク装着状態で、使用者の顔面（特に鼻から頬骨辺り）に隙間ができやすくなる。
【００３２】
また、接合部分２５の幅方向外側端２５ｅ（接合部分２５の中でも最も幅方向外側になる位置）は、図２に示すように、中心線Ｌ１の上端から、一方側部分２３および他方側部分２４の幅方向一方側および他方側に１０〜４０ｍｍに位置することが好ましい。換言すれば、マスク本体部２の上端部において、接合部分２５の幅方向外側端２５ｅから幅方向外側に向かって、相互に接合されていた一方側部分２３および他方側部分２４が分離しており、接合部分２５の幅方向外側端２５ｅは、マスク本体部２の分岐位置２５ｅとなっている。そして、本実施形態では、当該分岐位置２５ｅが、中心線Ｌ１の上端から幅方向外側に１０〜４０ｍｍに位置することが好ましい。
このように接合部分２５の幅方向外側端２５ｅの位置が、中心線Ｌ１の上端から、一方側部分２３および他方側部分２４の幅方向外側に１０ｍｍ以上移動した位置に存在することにより、接合部分２５の長さが使用者の鼻の高さとの関係で適度になる傾向があり、マスク１を装着しやすくすることができる。また、接合部分２５の幅方向外側端２５ｅの位置が、中心線Ｌ１の上端から、一方側部分２３および他方側部分２４の幅方向外側に４０ｍｍ以下移動した位置に存在することにより、マスク装着状態で、マスク本体部２の上端と使用者の顔面との間の隙間を効果的に減らすことができる。
なお、同様な観点から、接合部分２５の幅方向外側端２５ｅは、中心線Ｌ１の上端から、一方側部分２３および他方側部分２４の幅方向一方側および他方側に１０〜３０ｍｍ移動した位置までに存在することがより好ましい。
【００３３】
接合部分２５は、一方側部分２３および他方側部分２４の上端から下方へ上下方向に沿って測ったが長さが２０ｍｍ以下の範囲に存在することが好ましく、より好ましくは１５ｍｍであり、さらに好ましくは１２ｍｍである。このような範囲に存在させることにより、接合部分２５が大きくなりすぎることを防ぐことができる。
【００３４】
また、マスク本体部２の半部の正面視で、中心線Ｌ１と、中心線Ｌ１の上端および接合部分２５の幅方向外側端２５ｅを結ぶ仮想線とがなす角度αは、４５〜１２０°であることが好ましい。
当該角度αが４５°以上であることにより、マスク本体部２の上端を、マスク装着状態で使用者の頬に沿わせやすくすることができ、また、当該角度αが１２０°以下であることにより、接合部分２５よりも下方の一方側部分２３と他方側部分２４が、マスク装着状態で使用者の鼻に密着しすぎることによる不快感を低減することができる。
また、同様な観点から、当該角度αは、４５〜９０°であることがより好ましく、さらに好ましくは５０〜７０°である。
【００３５】
また、本明細書において、上記の「マスク本体部２の半部の正面視」とは、マスク本体部２を中心線Ｌ１に沿って切断して視ることを意味するが、中心線Ｌ１を中心に、一方側部分２３と他方側部分２４を相互に重ね合わせるようにマスク本体部２を折った状態を視ることと実質的に同義とすることもできる。また、マスク本体部２の半部での「マスク本体部２の幅方向外側」とは、マスク装着状態での幅方向外側であり、マスク本体部２の半部での「マスク本体部２の幅方向中央側」とは、マスク本体部２の半部での「マスク本体部２の幅方向外側」とは逆向きを意味する。
【００３６】
接合は、接着剤や、面ファスナー、線ファスナーおよび点ファスナーなどのファスナーや、リベット接合などを用いてもよく、また、シートが熱可塑性樹脂製であれば融着させてもよい。マスク１の使用による剥がれを防止する観点からは、リベット接合やドット釦が好ましい。また、接合部分２５の幅方向外側端２５ｅの位置を調整可能とする観点からはドット釦などのファスナーが好ましい。
なお、中心線Ｌ１の上端から、接合部分２５の幅方向外側端２５ｅまでを接合することもできる。また、図１の例のように、接合部分２５が複数個所存在していてもよく、また、異なる手法の接合方法を組み合わせてもよい。
【００３７】
ところで、マスク装着状態で視て、通常、使用者の口に対応するマスクの位置が、使用者の鼻に接触ないし接近するマスクの上端部の位置よりも、使用者の前方に位置しているところ、図３にマスク装着状態で示すように、本実施形態のマスク１においても同様な位置関係となっている。具体的には、使用者の鼻に接触ないし接近するマスク１の上端部の位置とは、マスク本体部２の上方において、相互に連結していた一方側部分２３と他方側部分２４との分岐する分岐位置２５ｅであり、この例の場合、図２、３に示すように、接合部分２５の幅方向外側端２５ｅに相当する。また、使用者の口に対応するマスク１の位置とは、マスク本体部２の半部の正面視で、当該分岐位置２５ｅから下方へ７０ｍｍの距離にある中心線Ｌ１上の点２６（以下、マスク前方側位置２６と称す。）とする。本実施形態のマスク１においても、マスク装着状態で視て、マスク前方側位置２６が、分岐位置２５ｅよりも使用者の前方に位置しており、換言すれば、マスク本体部２の半部の正面視で、マスク前方側位置２６が、分岐位置２５ｅよりもマスク本体部２の幅方向中央側に位置している。
なお、使用者の口に対応するマスク１の位置（マスク前方側位置２６）を、マスク本体部２の半部の正面視で、分岐位置２５ｅから下方へ７０ｍｍの距離にある中心線Ｌ１上の点とする理由は、通常、マスク装着状態で、使用者の口に対応するマスク１の位置が、分岐位置２５ｅから下方へ７０ｍｍ程度の距離に位置するためである。
【００３８】
そして、本実施形態のマスク１では、マスク本体部２の半部の正面視で、マスク前方側位置２６で中心線Ｌ１が接する仮想接線Ｌ２を引いたとき、中心線Ｌ１の下端を通り当該仮想接線Ｌ２に平行な線Ｌ３は、分岐位置２５ｅを通り当該仮想接線Ｌ２に平行な線Ｌ４よりも幅方向中央側に位置することが好ましい。このようにすることで、マスク装着状態で、マスク１の下方部分と使用者（特に顎先）との間に空間が大きくなり、使用者が呼吸をしやすくすることができる。
なお、図示の例では、マスク本体部２の半部の正面視で、中心線Ｌ１が略直線であるため、マスク前方側位置２６で引いた中心線Ｌ１に接する仮想接線Ｌ２は中心線Ｌ１と略一致し、中心線Ｌ１の下端を通り当該仮想接線Ｌ２に平行な線Ｌ３は、分岐位置２５ｅを通り当該仮想接線Ｌ２に平行な線Ｌ４よりも幅方向中央側に位置するとともに、中心線Ｌ１に一致している。また、マスク本体部２の幅方向を、マスク前方側位置２６で中心線Ｌ１が接する仮想接線Ｌ２に対して直交する方向とすることもできる。
【００３９】
また、マスク装着状態で、マスク１の下方部分と使用者（特に顎先）との間に空間をより大きくする観点からは、マスク本体部２の半部の正面視で、中心線Ｌ１の下端を通り当該仮想接線Ｌ２に平行な線Ｌ３は、当該分岐位置２５ｅと当該仮想接線Ｌ２との中間（分岐位置２５ｅと仮想接線Ｌ２との距離が半分となる位置）を通り当該仮想接線Ｌ２に平行な線よりも幅方向中央側に位置することが好ましい。
【００４０】
ここで、本実施形態において、マスク本体部２の取付部２２は、図１に示すように、マスク本体部２の幅方向両外側であって、上方に位置する。また、マスク本体部２の取付部２２は、マスク装着状態で視て、幅方向で、使用者の顔面の頬（特に頬骨）付近から耳付近まで延在している。さらに、マスク本体部２の取付部２２は、マスク本体部２の半部の正面視で、図２に示すように、上下方向では、マスク本体部２の上下方向最大長さの半分、より具体的には１／３の長さとなる部分とすることができる。なお、マスク本体部２の上下方向の長さは、マスク前方側位置２６で中心線Ｌ１が接する仮想接線Ｌ２に平行な方向に沿って測った長さとすることができる。
【００４１】
図示の例では図３に示すように、取付部２２に取り付ける装着部材３として紐を用いているが、この場合には、取付部２２は、図１等に示すように、当該装着部材３としての紐を取り付けるための、紐を貫通させるための穴２７を１つ以上有することができる（図示の例では上下方向２段、幅方向３列の計６個）。また、複数の穴２７を有する場合には、使用者が紐を通す穴２７を適宜選択することで頭のサイズに合わせて任意に調整しやすくすることができる。
【００４２】
また、取付部２２は、図３に示すように、マスク装着状態で、取付部２２を使用者の表面の外側に反発させることが可能な反発発生手段２２１を有することができる。具体的には、マスク１の取付部２２は、マスク装着状態で使用者の頬付近から耳付近までの部分（こめかみ付近）に位置するところ、反発発生手段２２１により、取付部２２をこめかみ付近の顔面から、顔面より浮き上がって位置するようにすることができる。
本実施形態において、反発発生手段２２１が存在することにより、マスク装着状態で、マスク本体部２中の使用者の頬骨辺りに存在する部分の、顔面への貼りつきが向上しマスク１の装着性を改善させることができる。すなわち、マスク装着状態で、マスク本体部２は、幅方向外側へ、使用者の鼻、頬骨、こめかみの表面上を延在するところ、人の顔の頬骨がある位置は比較的ふくらみがあり、こめかみがある位置は頬骨に対して相対的窪むことから、マスク１を装着すると、頬骨が位置する顔面上でマスク本体部２（特にマスク中央部２１）の浮き上がりまたは低接触状態が生じ、マスク１の装着性が低下することがあった。これに対して、取付部２２が反発発生手段２２１を有すると、マスク本体部２のマスク中央部２１から取付部２２の間の部分でマスク本体部２に反りが生じて、マスク本体部２の反りに対する復元力により、マスク本体部２のうち頬骨位置に対応する部分において顔面を押さえるような力が生じる。したがって、反発発生手段２２１により、こめかみ付近の顔面への貼りつきが増し、マスク１の装着性を改善することができる。
【００４３】
そして、本実施形態において、具体的な反発発生手段２２１は、幅方向に沿って測った長さが６０ｍｍ以上である取付部２２とすることができる。取付部２２の長さを当該長さにすることにより、マスク１の使用者は、取付部２２の幅方向外側の一部を、図３に示すように内側に曲げて装着することで、取付部２２が使用者の表面の外側に反発することとなる。なお、より確実に反発力を発生させる観点からは、８０ｍｍ以上であることが好ましい。一方、取付部２２の長さが長すぎると、マスク１の取扱い性が低下する恐れがあることがから、長さは１２０ｍｍ以下が好ましく、より好ましくは１００ｍｍ以下である。
なお、取付部２２の長さとは、マスク本体部２の幅方向に沿って測った長さであるが、具体的には、取付部２２の延在方向に沿って測った長さとすることができる。
【００４４】
本実施形態において、装着部材３は、マスク本体部２の取付部２２に設けられており、紐（バンド）を用いることや、使用者の耳の上部に掛けるためのフックを用いることができる。装着部材３を紐とする場合には、図示の例のように、１対の取付部２２を紐でつなぎ、マスク１全体として輪にして、使用者の頭に装着できるようにしたり、または、１対のそれぞれに紐で輪を形成して耳の周囲に掛けることができるようにすることもできる。本実施形態においては、より確実にマスク１を装着可能にする観点から、装着部材３として紐を用い、１対の取付部２２を紐でつなぎ、マスク１全体として輪にすることが好ましい。
装着部材３が紐である場合には紐としては、特に限定されないが、弾性を有することが好ましく、ゴム弾性を有する比較的に柔軟なゴムや、シリコン、ポリウレタン等のプラスチック材料で形成することができる。
また、装着部材３が使用者の耳の上部に掛けるためのフックである場合には、材料としては、特に形状を維持することができる程度の硬さを有する材料であれば特に限定されず、例えば、金属、樹脂、ゴムを用いて形成することができる。また、水分が多い環境下で使用し、また、仮に折れた場合に先端が尖ることを避けるために、材料としては、弾力性と形状を保てる程度の硬さを有する、例えば、シリコン、ゴム、ポリウレタンが好ましい。
【００４５】
ここで、本実施形態の第１の変形例においては、マスク本体部２は、図４に示すように、上端部に帯状の弾性シート２８を有することができる。マスク本体部２が弾性シート２８を有することにより、マスク装着状態で、マスク上端における、マスク本体部２と使用者の顔面との間の隙間を低減することができ、それにより、使用者の呼気がシートと顔面の頬との間の隙間を通って使用者の目にかかり不快感が生じることを抑制することができる。
具体的な、弾性シート２８としては、弾性を有すれば特に限定されないが、ゴム弾性を有する比較的に柔軟なゴムや、シリコン、ポリウレタン等のプラスチック材料で形成することができ、より好ましくは、多孔質である。具体的な材料としては、多孔質のポリウレタンである。
【００４６】
弾性シート２８は、弾性シート２８の延在方向に直交する方向に測った長さ（幅）が、３〜２０ｍｍであることが好ましく、より好ましくは、６〜１５ｍｍであり、さらに好ましくは６〜１０ｍｍである。当該長さが、３ｍｍ以上であることにより、呼気がシートと顔面の頬との間の隙間を通ることを効果的に抑制し、２０ｍｍ以下であることにより、使用者の顔面に接触する面積が大きくなることを抑制するので、使用者が不快に感じにくくすることができる。
また、弾性シート２８は、マスク装着状態で、シートと顔面の頬との間の隙間が生じる範囲に延在させることが好ましいが、より好ましくは、分岐位置２５ｅから、少なくともマスク装着状態で使用者の頬骨に対応する位置まで延在させることである。具体的には、分岐位置２５ｅから、少なくともマスク本体部２の幅方向外側へ３０ｍｍまで延在することが好ましく、より好ましくは、少なくともマスク本体部２の幅方向外側へ５０ｍｍまで、さらに好ましくは、少なくともマスク本体部２中のマスク中央部２１の幅方向外側まで延在する。弾性シート２８を上記のように延在させることにより、呼気がシートと顔面の頬との間の隙間を通ることを効果的に抑制することができる。
さらに、弾性シート２８は、厚さが３〜１０ｍｍであることが好ましく、より好ましくは４〜８ｍｍである。厚さが３ｍｍ以上であることにより、シートと顔面の頬との間の隙間を低減しやすくなり、また、厚さが１０ｍｍ以下であることにより、使用者が不快に感じにくくすることができる。
また、弾性シート２８の、マスク本体部２への取り付けは、接着剤を用いることや、熱融着とすることができる。
【００４７】
ここで、本実施形態の第２の変形例において、図５に示すように、マスク本体部２が、当該マスク本体部２の上端部３０に、当該マスク本体部２のシート６の上部がマスクの内表面側に曲げられた曲げ部５を有することができる。
より詳細には、曲げ部５は、図６中の左側図に示すように、マスク本体部２を作製するためのシート６の上部（図中の上方がマスクの上方）に対応する部分である。例えば図１に示すマスク本体部２を作製するためのシート６は、シート６の上部が上方に張り出していないが、図６に示すシート６は、上部が例えば中心線Ｌ１上のマスク本体部２の上端よりも上方に張り出しており、当該シート６の上部を、図６中の左側図から右側図に示すように、マスクの内表面側（換言すれば、マスクの１対の表面のうち、マスク装着状態で使用者の顔面側に向く表面側）に曲げられることで曲げ部５となる。
なお、マスク本体部２を作製するためのシート６のうち、曲げ部５となる部分（シート６の上部）以外の部分を、シート６の主部とも称す。
【００４８】
本実施形態において、マスク本体部２が曲げ部５を有することにより、マスク装着状態で、マスク上端における、マスク本体部２と使用者の顔面との間の隙間を低減することができ、それにより、使用者の呼気がシート６と顔面の頬との間の隙間を通って使用者の目にかかり不快感が生じることを抑制することができる。
【００４９】
曲げ部５は、マスク本体部２の上端（曲げ部５の上端）から曲げ部５の下端までの長さＬＧ１は特に限定されないが、図７に示すように、マスク本体部２の半部の正面視において、当該長さＬＧ１を２０〜４０ｍｍとすることができ、好ましくは２５〜３５ｍｍ、より好ましくは３０ｍｍとすることができる。なお、当該長さＬＧ１は、マスク本体部２の半部の正面視において、マスク本体部２の上端から下方へ曲げ部５の下端までを、上下方向に沿って測った長さである。
曲げ部５の長さＬＧ１を上記の範囲にすることにより、使用者の呼気がシート６と顔面の頬との間の隙間を通ることを効果的に抑制することができる。
【００５０】
また、曲げ部５は、そのマスク本体部２の上端部３０における存在範囲は特に限定されないが、図５に示すように、装着部材を取り付けるための取付部２２からマスク中央部２１に存在させることができる。曲げ部５をこのように存在させることにより、使用者の呼気がシート６と顔面の頬との間の隙間を通ることを効果的に抑制することができる。
より具体的には、曲げ部５の幅方向内側端（幅方向中央側にある端）について、中心線Ｌ１から曲げ部５の幅方向内側端までを幅方向に沿って測った長さＬＧ２は、好ましくは、図７に示すマスク本体部２の半部の正面視において、マスク本体部２の中心線Ｌ１から幅方向外側に１０ｍｍ以上であることが好ましく、より好ましくは、３０ｍｍ以上である。また、マスク本体部２が図５に示すように接合部分２５を有する場合には、曲げ部５の幅方向内側端は、マスク本体部２の半部の正面視において、接合部分２５の幅方向外側端よりも幅方向外側に位置することも好ましい。
また、曲げ部５の幅方向外側端は、好ましくはマスク本体の取付部２２に位置することであるが、より好ましくは、図５に示すようにマスク本体部２の幅方向外側端（取付部２２の幅方向外側端）に位置することである。
【００５１】
曲げ部５は、図５、図６に示すように、幅方向内側において面取りされていることが好ましく、具体的には、曲げ部５は、マスク本体部２の幅方向内側から外側に向けて、曲げ部５の上端から下端までの長さが、上記の所定の長さになるまで漸増するような形状とすることができる。このような形状にすることにより、マスク本体部２の使用者の顔面への接触圧が分散し、肌への密着を柔らかくすることができる。
また、曲げ部５は、図５に示すように、マスク本体部２に一対同じ形状で形成されているが、異なる形状とすることもできる。
さらに、取付部２２に曲げ部５が形成される場合、図５に示すように、装着部材（図示せず）が貫通する穴２７を、曲げ部５とシート６の主部とのそれぞれに形成し、それぞれの穴２７に装着部材を通すことができるようにすることもできる。
【００５２】
曲げ部５が、その曲げられた状態を維持するため手段としては、特に限定されなく、例えば、曲げ部５の全体が、主部に対して接合されることにより、曲げ部５の曲げられた状態を維持していてもよい（図示せず）。
しかし、本実施形態においては、曲げ部５の曲げられた状態を維持するため手段としては、図５に示すように、曲げ部５のうちの下端部分の一部（曲げ部５を形成する前の状態のシート６に着目すれば、シート６の上部の上端部３０の一部）が、シート６の主部の一部に接合させることが好ましい。このように接合することにより、曲げ部５において、シート６の湾曲に対する復元力によって曲げ部５と主部の間には空間を形成することができる。
使用者の顔面（頬骨、こめかみにかけて）には凹凸があることから、マスク装着状態に合わせてマスクの浮き上がりや低接触状態が生じ、マスク１の装着性が低下することがあった。これに対して、このように、曲げ部５において、曲げ部５と主部の間には空間を形成することにより、マスク装着状態において使用者の顔面（頬骨、こめかみにかけて）の凹凸に合わせてマスクが接触しやすくなり、肌への密着を柔らかくするとともに、マスクの装着の装着性を向上させることができる。また、曲げ部５のうちの下端部分の一部が、シート６の主部の一部に接合しているので、曲げ部５の復元力（反発）が適度に抑制され、肌への密着を柔らかくすることができる。
なお、曲げ部５の曲げられた状態を維持するため手段としては、曲げ部５が形成された状態で、装着部材が貫通する穴２７を取付部２２（曲げ部５とシート６の主部のそれぞれ）に形成し、穴２７に通した装着部材により曲げ部５の曲げ状態を維持することもでき、これによっても、曲げ部５において、曲げ部５と主部の間には空間を形成することができる。
【００５３】
接合５１は、接着剤や、面ファスナー、線ファスナーおよび点ファスナーなどのファスナーや、リベット接合などを用いてもよく、また、シート６が熱可塑性樹脂製であれば融着させてもよい。図５に示すように、曲げ部５と主部の間に空間を形成する観点からは、ファスナーやリベット接合、より好ましくは点ファスナーやリベット接合とすることができる。
【００５４】
曲げ部５のうちの下端部分の一部が、シート６の主部の一部に接合される場合、マスク本体の上端からこの接合５１の上端までの長さＬＧ３は、図７に示すように、マスク本体部２の半部の正面視において、２０〜２６ｍｍであることが好ましく、より好ましくは２５ｍｍである。このような長さＬＧ３にすることにより、マスク装着状態における、使用者の顔面（頬骨、こめかみにかけて）の凹凸に合わせたマスクの接触性が向上し、肌への密着をより柔らかくするとともに、マスクの装着の装着性をより向上させることができる。なお、当該長さは、マスク本体部２の上端から下方へ接合５１の上端までを、上下方向に沿って測った長さである。
【００５５】
また、曲げ部５のうちの下端部分の一部が、シート６の主部の一部に接合される場合、曲げ部５の幅方向内側端（幅方向中央側にある端）から外側端までをすべて接合することもできる。好ましくは、接合５１の幅方向内側端を曲げ部５の幅方向内側端よりも幅方向外側に位置させることである。このようにすることにより、曲げ部５の復元力（反発）をより適度に調整することができ、装着性を効果的に向上させることができる。
さらに、より好ましくは、マスク本体の中心線Ｌ１から接合５１の幅方向内側端までを、幅方向に沿って測った長さＬＧ４を、図７に示すように、マスク本体部２の半部の正面視において、１１０〜１３０ｍｍとすることである。当該長さＬＧ４を所定の範囲にすることにより、曲げ部５の幅方向内側（幅方向中央側）の復元力（反発）を、曲げ部５の幅方向外側の復元力より適切に相対的に大きくすることができ、使用者の顔面の凹凸に（特に鼻と頬の間の大きな窪みや、こめかみ辺りの窪みに）合わせてマスクの接触性が向上し、肌への密着をより柔らかくするとともに、装着性を効果的に向上させることができる。
なお、上記のように接合５１の幅方向内側端は曲げ部５の幅方向内側端よりも幅方向外側に位置させることが好ましいが、接合５１の幅方向外側端の位置（接合５１の幅方向長さ）は、任意にすることができる。換言すれば、接合５１の幅方向内側端よりも幅方向外側の曲げ部５が全て接合されていてもよく、途中までが接合されていてもよい。なお、特に限定されないが、図５では、接合５１は１か所のリベット接合となっている。
【００５６】
ところで、本実施形態においては、マスク本体部２は、マスク装着状態で、使用者の口に対応する位置に貫通孔２９を有するとともに、マスク１が、貫通孔２９を開閉可能なようにマスク本体部２の外側の表面上に接合されたシート状のカバー部材４を備えることができる。具体的には、貫通孔２９は、マスク本体部２の幅方向中央（例えば、中心線Ｌ１を挟んで幅方向両側に５０ｍｍの範囲内）であって、上下方向中央（例えば、上端から下方向に１２０ｍｍの範囲内）の領域内に存在することができる。なお、貫通孔２９が存在する領域の幅方向範囲は、中心線Ｌ１を挟んで幅方向両側に３５ｍｍの範囲内であることが好ましく、より好ましくは幅方向両側に２０ｍｍの範囲内である。また、貫通孔２９が存在する領域の上下方向範囲は、上端から下方向に１００ｍｍの範囲内であることが好ましく、より好ましくは、上端から下方に３０ｍｍの位置と上端から下方に１００ｍｍの位置とに挟まれる領域内である。
図示の例では、中心線Ｌ１を通るように１つの貫通孔２９が存在するが、マスク装着状態で、使用者の口に対応する位置であれば、複数の貫通孔２９が存在してもよい。
そして、本実施形態においては、当該貫通孔２９が存在する場合には、図１等に示すように、貫通孔２９が存在する範囲にシート状のカバー部材４を備える。また、カバー部材４は、貫通孔２９を開閉可能なようにマスク本体部２の外側の表面上に接合されている。図示の例では、カバー部材４の上端部であって幅方向両側端部がマスク本体部２と２か所リベット接合されており、これにより、カバー部材４をその上端部を起点に上方向にめくりあげることができる（すなわち、貫通孔２９を開閉することができる）。なお、カバー部材４の接合箇所は、図示の例（カバー部材４の上端部）の他に、カバー部材４の幅方向の一方端部、他方端部、下端部でもよい。また、接合方法は、リベット接合の他に、接着剤を用いることや、融着させてもよい。
【００５７】
このように、マスク本体部２が貫通孔２９を有し、マスク１がカバー部材４を備えることにより、マスク装着状態であって、比較的離れた位置にいる人と話す場合に、カバー部材４をめくりあげて貫通孔２９を開けることで、当該離れた位置にいる人と話しやすくすることができる。具体的には、マスク装着状態では、声がこもりやすく離れた位置にいる人へは声がはっきりと伝わりにくいところ（特に、プール施設などのような響きやすいところでは伝わりにくい）、カバー部材４をめくることで声がはっきり伝わりやすくすることができる。なお、離れた位置にいる人と話す際には、貫通孔２９を開けても発声による感染拡大のリスクは低いと推定される。
また、カバー部材４をカバー部材４の上端部または下端部でマスク本体部２と接合した場合（カバー部材４の開閉の起点が上端部または下端部となる場合）には、マスク装着状態ではマスク１は幅方向に沿って湾曲することから、カバー部材４を手でめくりあげた後に手を離したときには、カバー部材４の変形（めくりあげ）に対する復元力が発生する。したがって、かかる場合には、カバー部材４が自然に閉じた状態に戻ろうとするので、カバー部材４を閉じるときの動作を簡易にすることができる。
さらに、カバー部材４をカバー部材４の幅方向の一方端部または他方端部でマスク本体部２と接合した場合（カバー部材４の開閉の起点が幅方向の一方端部または他方端部となる場合）には、開閉の起点とは逆側の端部に、ファスナーを設けることで、カバー部材４の閉の状態を維持しやすくすることができる。
【００５８】
なお、カバー部材４は、マスク本体部２で用いることができる材料と同様な材料で形成することができ、具体的には、可撓性を有するシートで形成することができる。具体的な材料としては、合成樹脂、例えば軟質ポリ塩化ビニルやポリウレタン樹脂などや、ゴム材料、例えば天然ゴム、各種の合成ゴムなどを用いることができる。カバー部材４の材料はマスク本体部２の材料と同じであっても異なっていてもよい。また、カバー部材４の厚さとしては、０．５〜２．０ｍｍであることが好ましく、より好ましくは０．７〜１．５ｍｍであり、さらに好ましくは０．８〜１．２ｍｍである。
【００５９】
以上、図面を参照して本発明の実施形態を説明したが、本発明のマスクは、上記の例に限定されることは無く、本発明のマスクには、適宜変更を加えることができる。
【産業上の利用可能性】
【００６０】
本発明によれば、マスクが濡れる環境下で用いた場合であっても、使用時の不快感を抑制するとともに呼吸をしやすくすることが可能なマスクを提供することができる。
【符号の説明】
【００６１】
１：マスク
２：マスク本体部
２１：マスク中央部
２２：取付部
２２１：反発発生手段
２３：一方側部分
２４：他方側部分
２５：接合部分
２５ｅ：接合部分の幅方向外側端、分岐位置
２６：マスク前方側位置
２７：穴
２８：弾性シート
２９：貫通孔
３：装着部材
３０：マスク本体部の上端部
４：カバー部材
５：曲げ部
５１：接合
６：シート
Ｌ１：中心線
Ｌ２〜Ｌ４：仮想線
ＬＧ１〜LG４：長さ
α：中心線と接合部分の延在方向とがなす角度
【要約】
【課題】本発明は、マスクが濡れる環境下で用いた場合であっても、使用時の不快感を抑制するとともに呼吸をしやすくすることが可能なマスクを提供することを目的とする。
【解決手段】本発明のマスクは、上下方向および幅方向を有する、シート状のマスク本体部と、当該マスク本体部の幅方向両側に取り付けられ、使用者が装着するための装着部材とを備えるマスクであって、前記マスク本体部の幅方向中心に位置し、上下方向に延びる仮想線を中心線とし、当該中心線に対して当該マスク本体部の幅方向一方側の部分と幅方向他方側の部分とをそれぞれ一方側部分と他方側部分とするとき、前記マスク本体部を前記中心線で曲げた状態を当該マスク本体部の下方向から視たときに、少なくとも当該マスク本体部の下方において、前記一方側部分と前記他方側部分とで空間を形成することを特徴とする。
【選択図】図１【図１】
0006966682.tif 000002
【図２】
0006966682.tif 000003
【図３】
0006966682.tif 000004
【図４】
0006966682.tif 000005
【図５】
0006966682.tif 000006
【図６】
0006966682.tif 000007
【図７】
0006966682.tif 000008